(57)【特許請求の範囲】
【請求項１】
中央の表示用領域と、この表示用領域の外周部に設けられ可視光を遮蔽する不透明領域とを有し、且つ、前記不透明領域内の一部に赤外光を透過する赤外透過窓が設けられた表示装置用前面保護板であって、
透光性基板と、
この透光性基板の第１面とこの第１面とは反対側の第２面との少なくとも一方の面の側において前記不透明領域に形成された遮蔽層であって、少なくとも可視光を遮蔽し、前記赤外透過窓となる部分は非形成部として形成された遮蔽層と、
前記一方の面の側において前記不透明領域内であって前記遮蔽層の前記非形成部を含む部分に積層された赤外透過層であって、可視光を遮蔽し赤外光を透過する赤外透過層と、を有し、
前記赤外透過層は、前記赤外透過窓となる前記非形成部を含んだ前記遮蔽層と前記透光性基板との間の全領域に形成されている、表示装置用前面保護板。
【請求項２】
前記遮蔽層の前記赤外透過層側に位置する面の全面が、前記赤外透過層で覆われている、請求項１に記載の表示装置用前面保護板。
【請求項３】
前記赤外透過層は、着色顔料を感光性樹脂の硬化物からなる樹脂バインダ中に含む、請求項１または２に記載の表示装置用前面保護板。
【請求項４】
前記赤外透過層の前記着色顔料は、互いに異なる色であって黒色以外の着色顔料を少なくとも３種類以上含む、請求項３に記載の表示装置用前面保護板。
【請求項５】
前記遮蔽層は、黒色顔料を含み得る着色顔料を感光性樹脂の硬化物からなる樹脂バインダ中に含み、
前記赤外透過層は、着色顔料を感光性樹脂の硬化物からなる樹脂バインダ中に含み、
前記赤外透過層の前記着色顔料は、互いに異なる色であって黒色以外の着色顔料を少なくとも３種類以上含む、請求項１または２に記載の表示装置用前面保護板。
【請求項６】
前記赤外透過層は、前記透光性基板と前記遮蔽層とに隣接して、前記透光性基板と前記遮蔽層との間に配置されている、請求項１乃至５のいずれか一項に記載の表示装置用前面保護板。
【請求項７】
前記透光性基板の前記第１面は、表側に面しており、
前記赤外透過層は、前記透光性基板の前記第２面に配置されている、請求項６に記載の表示装置用前面保護板。
【請求項８】
前記遮蔽層は、前記赤外透過層側に位置する面とは反対側に位置する他方の面を有し、
前記遮蔽層の前記他方の面側に、さらに、タッチパネルの位置検知用の透明電極が形成され、
前記透明電極が、前記表示用領域から前記不透明領域まで延び、前記遮蔽層と重なる領域に配置された不透明な配線と前記不透明領域で電気的に接続されている、請求項７に記載の表示装置用前面保護板。
【請求項９】
請求項１乃至７のいずれか一項に記載の表示装置用前面保護板と、表示パネルと、を備える、表示装置。
【請求項１０】
前記透光性基板の前記一方の面の側に前記表示パネルが配置されている、請求項９に記載の表示装置。
【請求項１１】
前記表示装置用前面保護板と前記表示パネルとの間にタッチパネルを更に備え、
前記タッチパネルは、前記表示用領域と重なる領域から前記不透明領域と重なる領域まで延びた透明電極と、前記遮蔽層と重なる領域に配置された不透明な配線と、を有し、
前記透明電極は、前記不透明領域と重なる領域で前記不透明な配線と電気的に接続されている、請求項１０に記載の表示装置。
【請求項１２】
前記表示パネルが、液晶パネルまたは電界発光パネルである、請求項９に記載の表示装置。
【発明の詳細な説明】
【技術分野】
【０００１】
本発明は、表示装置用前面保護板及びこれを備えた表示装置に関する。特に、本発明は、可視光を遮蔽する不透明領域内に、赤外光を透過する赤外透過窓が設けられた表示装置用前面保護板及びこれを備えた表示装置に関する。
【背景技術】
【０００２】
近年、スマートフォン、タブレットＰＣ（パーソナルコンピュータ）などの各種表示装置において、表示パネルと組み合わせて使用される位置入力装置として、タッチパネルが急速に普及してきている。タッチパネルは、以前から、電磁誘導方式、抵抗膜方式など各種方式のものが知られ、各種の用途で使用されてきた。近年特に注目されてきているのは、マルチタッチ（多点同時入力）が可能な静電容量方式のタッチパネルである。【０００３】
図６は、表示装置２００の一例として、典型的にはスマートフォン等のタッチパネル機能を備えた携帯電話を模式的に示す平面図である。タッチパネル機能を備えた携帯電話は、通話時に携帯電話を耳にあてがったときに、タッチパネルの誤作動を防ぐために、または、表示パネルの表示を消して電池寿命を長くするために、人肌の接近を感知する人感センサを備えている。この人感センサとしては、赤外線センサが使用されている。人感センサは、通常、図６に示すように、表示装置用前面保護板４０をはめ込んだケース５０の一部に赤外透過窓４を設け、この赤外透過窓４に重なるケース内部の領域に設置されている。【０００４】
図７は、図６に示すタッチパネル２０を備えた表示装置２００の主要な構成部品の一例を模式的に示す図である。なお、図７は、赤外透過窓４が設けられたケース５０の図示を省略して示している。このうち、図７（ａ）は分解平面図であり、図７（ｂ）は図７（ａ）の分解平面図に示すＣ−Ｃ線で表示装置用前面保護板４０を切断したときの表示装置用前面保護板４０を示す断面図である。タッチパネル２０は、表示パネル３０に対して、表示パネル３０からの表示光の出光側である表側（図７（ａ）において紙面の手前側）に配置される。さらに、タッチパネル２０の保護の為に、前記表示パネル３０からの表示光が出光する側であるタッチパネル２０の表側に、表示装置用前面保護板４０が配置される（ＪＰ２００９−１９３５８７Ａ、ＪＰ３１５３９７１Ｕ、ＪＰ２００８−２６６４７３Ａ）。表示装置用前面保護板４０は、通常、図７に例示する様に、その表示用領域Ａ１の外周部に不透明領域Ａ２が設けられており、不透明領域Ａ２には可視光を遮蔽するための遮蔽層５が形成されている。この不透明領域Ａ２によって、表示装置用前面保護板４０の裏側に配置されるタッチパネル２０の外周部に配置された配線９やコネクタ等を隠蔽して、外観を損ねないようにしている。また、不透明領域Ａ２には、製品ロゴなどの可視情報６なども適宜設けられ、不透明領域Ａ２は表示装置用前面保護板４０の加飾部にもなっている。【０００５】
界面反射による表示光の損失を抑制するために、あるいは、外光反射を減らして表示を見易くする等のために、表示装置用前面保護板４０とタッチパネル２０との間及びタッチパネル２０と表示パネル３０との間を隙間無く樹脂層で埋めて、これらを密着積層させることもある。また、薄型化、軽量化、部品点数削減などに対する要求に応えるべく、表示装置用前面保護板４０とタッチパネル２０との一体化、或いはタッチパネル２０と表示パネル３０との一体化などの各種形態が、提案されている（ＪＰ２００９−１９３５８７Ａ、ＪＰ３１５３９７１Ｕ）。
【発明の開示】
【０００６】
ところで、赤外透過窓４を表示装置用前面保護板４０に設けたものが望まれることがある。それは、赤外透過窓４を表示装置２００のケース５０に設けるのではなく、表示装置用前面保護板４０の部分に入れてしまうことで、製品のデザインの自由度が増し、より幅広いデザインに対応することが可能となるからである。例えば、赤外透過窓４を、表示装置用前面保護板４０の一部に設けると共に、これに応じて表示装置用前面保護板４０の面積をより広くすることで、ケース５０の外枠部分が細いデザインも可能となる。
【０００７】
また、図７で例示した様に表示装置用前面保護板４０が遮蔽層５を有する構造であると、遮蔽層５は通常、スクリーン印刷で形成され、その膜厚が例えば６〜１０μｍと厚い。このため、表示装置用前面保護板４０とタッチパネル２０との間を樹脂層で埋めるときに、遮蔽層５の膜厚により生じる縁部の段差付近に、空気が残留気泡として残り易いという問題がある。また、膜厚が厚い遮蔽層５があると、表示装置用前面保護板４０とタッチパネル２０とを一体化させた場合、タッチパネル２０の位置検知用の導電体薄膜からなる透明電極がスパッタ法などで形成される時に段差部分で断線し易いという問題もある。こうした遮蔽層５の膜厚により生じる縁部の段差の問題は、遮蔽層５を５μｍ以下に薄く形成すれば改善する。この場合、例えば、遮蔽層５をスクリーン印刷法によって形成するのではなく、感光性樹脂を用いたフォトリソグラフィ法によって形成することで、気泡や断線の問題を改善することができる。しかしながら、感光性樹脂を用いてフォトリソグラフィ法で遮蔽層５を形成してみたところ、新たな別の問題が存在することが判明した。それは、スクリーン印刷法で遮蔽層５を形成したような遮蔽層５の膜厚が厚い場合では生じなかった、高温高湿下での密着性が低下するという問題である。
【０００８】
すなわち、本発明の課題は、表示装置用前面保護板において、遮蔽層の高温高湿下での密着性低下を改善しつつ、遮蔽層が形成されている不透明領域に赤外透過窓を設けることである。また、こうした赤外透過窓が設けられた表示装置用前面保護板を備えた表示装置を提供することである。
【０００９】
本発明による表示装置用前面保護板は、中央の表示用領域と、この表示用領域の外周部に設けられ可視光を遮蔽する不透明領域とを有し、且つ、前記不透明領域内の一部に赤外光を透過する赤外透過窓が設けられた表示装置用前面保護板であって、
透光性基板と、
この透光性基板の第１面とこの第１面とは反対側の第２面との少なくとも一方の面の側において前記不透明領域に形成された遮蔽層であって、少なくとも可視光を遮蔽し、前記赤外透過窓となる部分は非形成部として形成された遮蔽層と、
前記一方の面の側において前記不透明領域内であって前記遮蔽層の前記非形成部を含む部分に積層された赤外透過層であって、可視光を遮蔽し赤外光を透過する赤外透過層と、を有し、
前記赤外透過層は、前記赤外透過窓となる前記非形成部を含んだ前記遮蔽層と前記透光性基板との間の全領域に形成されている。
【００１０】
本発明による表示装置用前面保護板において、前記遮蔽層は、黒色顔料を含み得る着色顔料を感光性樹脂の硬化物からなる樹脂バインダ中に含み、
前記赤外透過層は、着色顔料を感光性樹脂の硬化物からなる樹脂バインダ中に含み、  
前記赤外透過層の前記着色顔料は、互いに異なる色であって黒色以外の着色顔料を少なくとも３種類以上含んでもよい。
【００１１】
本発明による表示装置用前面保護板において、前記赤外透過層は、前記透光性基板と前記遮蔽層とに隣接して、前記透光性基板と前記遮蔽層との間に配置されていてもよい。
【００１２】
本発明による表示装置用前面保護板において、前記透光性基板の前記第１面は、表側に面しており、前記赤外透過層は、前記透光性基板の前記第２面に配置されていてもよい。
【００１３】
本発明による表示装置用前面保護板において、前記遮蔽層は、前記赤外透過層に隣接する一方の面と、当該一方の面とは反対側に位置する他方の面を有し、
前記遮蔽層の前記他方の面側に、さらに、タッチパネルの位置検知用の透明電極が形成され、
前記透明電極が、前記表示用領域から前記不透明領域まで延び、前記遮蔽層と重なる領域に配置された不透明な配線と前記不透明領域で電気的に接続されていてもよい。
【００１４】
本発明による表示装置は、前記いずれかの特徴を有する表示装置用前面保護板と、表示パネルとを備える。
【００１５】
本発明による表示装置において、前記透光性基板の前記一方の面の側に前記表示パネルが配置されていてもよい。
【００１６】
本発明による表示装置において、前記表示装置用前面保護板と前記表示パネルとの間にタッチパネルを更に備え、前記タッチパネルは、前記表示用領域と重なる領域から前記不透明領域と重なる領域まで延びた透明電極と、前記遮蔽層と重なる領域に配置された不透明な配線と、を有し、
前記透明電極は、前記不透明領域と重なる領域で前記不透明な配線と電気的に接続されていてもよい。
【００１７】
本発明による表示装置において、前記表示パネルが、液晶パネルまたは電界発光パネルであってもよい。
【００１８】
本発明の表示装置用前面保護板及び表示装置によれば、遮蔽層の高温高湿下での密着性低下を改善しつつ、遮蔽層が形成されている不透明領域に赤外透過窓を設けることができる。
【図面の簡単な説明】
【００１９】
【図１】図１（ａ）及び図１（ｂ）は、本発明による表示装置用前面保護板の一実施形態を説明するための図であり、図１（ａ）は、平面図を示し、図１（ｂ）は、図１（ａ）に示すＣ−Ｃ線に沿った断面における断面図を示す。
【図２】図２は、赤外透過層における、可視光と透過率スペクトルとの関係を例示するグラフである。
【図３】図３は、本発明による表示装置用前面保護板の別の実施形態を説明する断面図である。
【図４】図４（ａ）は、図３に示す表示装置用前面保護板の平面図であり、図４（ｂ）は、図４（ａ）に示す透明電極を示す部分図である。
【図５】図５は、図１に示す表示装置用前面保護板を備えた表示装置の一実施形態を模式的に説明する断面図である。
【図６】図６は、赤外透過窓が設けられた従来の表示装置の一例を示す平面図である。
【図７】図７は、図６に示す表示装置の主要な構成部品の一例を模式的に示す図であり、図７（ａ）は、分解平面図を示し、図７（ｂ）は、図７（ａ）に示すＣ−Ｃ線における断面図を示す。
【図８】図８は、従来の表示装置用前面保護板の他の例を示す断面図である。
【図９】図９は、従来の表示装置用前面保護板の更に他の例を示す断面図である。
【発明を実施するための形態】
【００２０】
以下、本発明の一実施形態について図面を参照しながら説明する。なお、図面は概念図であり、説明の便宜上、適宜、構成要素の縮尺及び縦横比等は誇張されていることがある。
【００２１】
〔Ａ〕用語の定義：
以下に、本明細書において用いる主要な用語について、その定義をここで説明しておく。
【００２２】
「表側」とは、表示装置用前面保護板１０或いはその他の構成要素において、表示装置用前面保護板１０を表示パネル３０と組み合わせて使用したときに、表示パネル３０から表示光が出光する側であり、表示パネル３０からの映像を観察する側を意味する。「裏側」とは、前記「表側」とは反対側を意味し、表示装置用前面保護板１０或いはその他の構成要素において、表示パネル３０の表示光が入光する側を意味する。「第１面」と「第２面」とは、何れかが前記「表側」となり、何れが前記「表側」となるかは任意である。本実施形態においては、遮蔽層３及び赤外透過層２を必ず有する側の面を「第２面」と呼ぶことにしている。通常、第２面が裏側の面となる。
【００２３】
〔Ｂ〕表示装置用前面保護板：
本実施形態による表示装置用前面保護板を、図１に示す一実施形態を参照して説明する。図１（ａ）は、平面図であり、図１（ｂ）は、図１（ａ）に示すＣ−Ｃ線に沿った断面における断面図である。
【００２４】
本実施形態の表示装置用前面保護板１０は、図１（ａ）の平面図に示すように、中央の表示用領域Ａ１と、この表示用領域Ａ１の外周部に設けられ可視光を遮蔽する不透明領域Ａ２とを有し、この不透明領域Ａ２の領域内の一部に赤外光を透過する赤外透過窓４が設けられている。
【００２５】
図１（ｂ）の断面図に示すように、本実施形態における表示装置用前面保護板１０は、透光性基板１と、この透光性基板１の第１面Ｓ１とこの第１面Ｓ１とは反対側の第２面Ｓ２との２面のうちの第２面Ｓ２の側において、前記不透明領域Ａ２に形成された遮蔽層３であって、可視光と共に赤外光も遮蔽し、前記赤外透過窓４となる部分は非形成部として形成された遮蔽層３と、前記一方の面の側である前記第２面Ｓ２の側において、前記不透明領域内Ａ２であって前記遮蔽層３の非形成部を含む部分に積層された赤外透過層２であって、可視光を遮蔽し赤外光を透過する赤外透過層２とを有する。前記遮蔽層３は、赤外光を透過しない、すなわち、赤外光に遮蔽性（遮光性）を有するため、赤外透過窓４とする部分は、非形成部となっている。一方、前記赤外透過層２は、前記赤外透過窓４となる部分の遮蔽層３の非形成部のみならず、前記透光性基板１と前記遮蔽層３との間の全領域に亘って形成されている。もっとも、図示する例に限定されず、赤外透過層２及び遮蔽層３は、ともに、透光性基板１の第１面Ｓ１と第２面Ｓ２のうちの少なくとも一方の面の側の不透明領域Ａ２に形成されていればよく、前記一方の面は、第１面Ｓ１及び第２面Ｓ２のいずれでもよい。
【００２６】
前記遮蔽層３は、着色顔料を感光性樹脂の硬化物からなる樹脂バインダ中に含む層となっている。本実施形態においては、前記着色顔料はカーボンブラック、チタンブラック等の無機物からなる黒色顔料を含み、黒色を表現した層となっている。
【００２７】
前記赤外透過層２は、着色顔料を感光性樹脂の硬化物からなる樹脂バインダ中に含む層であり、しかも、前記着色顔料は互いに異なる色であって黒色以外の着色顔料を３種類、具体的には、赤色、黄色、青色の３種類を含むことで、前記遮蔽層３と同じ色の黒色を表現し、なお且つ赤外透過性の層となっている。
【００２８】
本実施形態においては、赤外透過層２及び遮蔽層３は透光性基板１の第２面Ｓ２上に、この順で設けられている。本実施形態では、このうち第２面Ｓ２を裏側に向け第１面Ｓ１を表側に向けて、言い換えると、第２面Ｓ２をタッチパネル２０や表示パネル３０側に向けて、第１面Ｓ１を観察者Ｖ側に向けて、用いることを想定している。
【００２９】
前記赤外透過層２及び遮蔽層３は、どちらも着色顔料と感光性樹脂の未硬化物とを含む着色感光性樹脂組成物を透光性基板１上に塗布し、フォトリソグラフィ法によってパターン形成することで、赤外透過層２及び遮蔽層３の各膜厚を合計した膜厚が５μｍ以下となるように形成されている。
【００３０】
以上のような構成とすることで、本実施形態における表示装置用前面保護板１０では、赤外透過窓４を、遮蔽層３がある不透明領域Ａ２の領域内部に、遮蔽層３の高温高湿下での密着性を改善しつつ設けることができる。また、不透明領域Ａ２において、赤外透過窓４の部分の色と、赤外透過窓４がない部分の色とを同色にでき、赤外透過窓４が目立ち難い製品デザインとすることができる。また、赤外透過層２に使用する３種類以上の着色顔料同士の割合を調整することで、表現色が黒色の場合であっても、その反射色の色味を調整できる。しかも、この色見の調整を、赤外透過層２が赤外透過窓４のみならず、遮蔽層３の形成部の全領域に形成されることから、不透明領域Ａ２の全領域の色味を調整できる。
【００３１】
以下、構成要素毎にさらに詳述する。
【００３２】
〔表示用領域Ａ１と不透明領域Ａ２〕
表示装置用前面保護板１０は、図１（ａ）の平面図で例示したように、中央に表示用領域Ａ１を有し、表示用領域Ａ１の外周部に、可視光を遮蔽する不透明領域Ａ２を有する。この不透明領域Ａ２の内部に赤外透過窓４が設けられている。表示用領域Ａ１は、図１（ｂ）の断面図において、二点鎖線の想像線で示す表示パネル３０に適用したときに、表示パネル３０からの表示光を透過させて映像を表示できる領域である。不透明領域Ａ２は、表示パネル３０の外周部に配置された配線、コネクタなどを隠したり、或いは、図１（ｂ）の断面図において、二点鎖線の想像線で示すタッチパネル２０に適用したときに、タッチパネル２０の外周部に配置された不透明な配線、コネクタなどを隠したりする為の領域である。また、不透明領域Ａ２は、それが表現する色、適宜設けるロゴやマークなどの可視情報６によって加飾部にもなる領域である。
【００３３】
〔赤外透過窓４〕
赤外透過窓４は、本実施形態においては、不透明領域Ａ２の領域内に設けられ、可視光を遮蔽し赤外光を透過する部分となっている。赤外透過窓４を表示装置用前面保護板１０に設けることによって、表示装置用前面保護板１０を適用する表示装置の赤外透過窓４と重なる部分に、赤外線の検知に利用する人感センサなどの赤外光利用部品を設置することが可能となる。赤外透過窓４の部分に設置する赤外光利用部品としては、人感センサ以外でも良く、赤外線を利用するものであれば特に限定はない。例えば、情報の送受信を行う赤外線通信ポートとして赤外透過窓４を利用しても良い。
【００３４】
このように、本実施形態においては、表示装置用前面保護板１０自体が、赤外透過窓４を有するので、表示装置のケースに赤外透過窓を設ける必要がない。このため、その分、表示装置のケース中で、表示装置用前面保護板１０を取り囲む枠部分を細くして、表示装置用前面保護板１０が露出する部分の面積をより広くした製品デザインも可能となる。しかも、赤外透過窓４は、表示装置用前面保護板１０が収まる表示装置のケースにではなく、表示装置用前面保護板１０の不透明領域Ａ２内に設けてあるので、外観デザインを損なうこともない。
【００３５】
〔透光性基板１〕
透光性基板１は、少なくとも可視光及び赤外光を透過し、表示装置用前面保護板１０を適用するタッチパネル２０や表示パネル３０に対して、これらの表面を保護し得る機械強度を有するものであれば、特に制限はなく、代表的にはガラス板を用いることができる。とくに、前記ガラス板として、化学強化ガラスはフロートガラスに比べて機械的強度に優れ、その分薄くできる点で好ましい。化学強化ガラスは、典型的には、ガラスの表面近傍について、ナトリウムをカリウムに代えるなどイオン種を一部交換するような化学的な方法によって機械的物性を強化したガラスである。特に本実施形態では、透光性基板１が化学強化ガラスであっても、赤外透過層２が前記遮蔽層３の透光性基板１に対する下地としての密着強化層としても機能することによって、前記遮蔽層３及び赤外透過層２の２層の透光性基板１に対する高温高湿下での密着性の低下を改善できる。この点で、透光性基板１として化学強化ガラスは好ましい基板の一種である。透光性基板１には、樹脂を用いることも可能である。例えば、前記樹脂としては、アクリル樹脂、ポリカーボネート樹脂、シクロオレフィン樹脂、ポリエステル樹脂などを用いることができる。透光性基板１に樹脂を用いることで、軽量にできる上、可撓性を持たせることも可能となる。
【００３６】
〔赤外透過層２〕
図１に例示する赤外透過層２は、タッチパネル２０及び表示パネル３０側となる裏側に面した、透光性基板１の第２面Ｓ２の不透明領域Ａ２の部分に形成されている。赤外透過層２は、不透明領域Ａ２内の赤外透過窓４の部分のみならず、その全領域に設けられている。つまり、赤外透過性を確保すると言う意味では、本来ならば赤外透過窓の部分のみに形成すれば良いにも拘らず、不透明領域Ａ２において透光性基板１と遮蔽層３との層間の全領域にも設けられている。その理由は、この赤外透過層２は単に赤外透過窓４に対応するだけではなく、遮蔽層３と透光性基板１との高温高湿下での密着性の低下を改善する、密着強化層としての機能も有するからである。そのため、遮蔽層３は直接に透光性基板１の面に接することなく、その間に赤外透過層２を介して形成される。赤外透過層２が前記遮蔽層３の透光性基板１に対する下地となって密着強化層としても機能することによって、前記遮蔽層３及び赤外透過層２の両層の透光性基板１に対する高温高湿下の密着性が改善されている。赤外透過層２は不透明領域Ａ２内において、遮蔽層３の形成部及び赤外透過窓４を構成する遮蔽層３の非形成部に、形成されているが、赤外透過層２は遮蔽層３の外輪郭の外側近傍など、不透明領域Ａ２の領域内のその他の領域に形成されていても良い。この場合、遮蔽層３の外輪郭の外側で赤外透過層２のみが形成された部分は、この赤外透過層２の可視光に対する遮光性によって、不透明領域Ａ２を形成する。例えば、赤外透過層２の外輪郭を、遮蔽層３の外輪郭を内側に含む様に若干大きめにして、赤外透過層と遮蔽層３との形成時の位置ズレが生じた場合に、これを目立たなくすることができる。
【００３７】
赤外透過層２の赤外光に対する透過性は、要求仕様、表現色、赤外透過窓４に適用する赤外線センサなどの赤外利用部品にもよるが、一例を示せば、赤外領域での透過率を８０％以上にする。本実施形態では、このような赤外領域での透過率となっている。前記透過率を８０％以上とする赤外領域は、必ずしも７８０ｎｍ以上の領域でなくてもよく、例えば８５０ｎｍ以上の領域であれば、充分に対応可能である。なお、透過率８０％以上とする赤外領域の上限は、近赤外域、それも通常、１３００ｎｍとなっていれば、十分である。赤外透過層２の可視光に対する遮光性は、要求仕様、表現色にもよるが、赤外透過窓４と重なる赤外透過層２のみとなる部分は、通常、スポット的に小さいため、必ずしも、赤外透過層２と遮蔽層３とが積層された部分の遮光性のレベルに合わせる必要はない。このため、赤外透過層２単独での可視光に対する遮光性は、一例を示せば、透過率で言えば大きくても５０％以下（光学濃度ＯＤにて０．２以上）、より好ましくは透過率で２５％以下（光学濃度ＯＤ０．６以上）、さらに好ましくは透過率で１０％以下（光学濃度ＯＤ１．０以上）が望ましい。本実施形態では、赤外透過層２は、赤外光領域に対しては、波長８５０ｎｍ以上１３００ｎｍ以下で８０％以上の透過率となっており、可視光領域に対しては１０％以下の透過率となっている。なお、この透過率とは、平均値ではなく、波長毎の値である。
【００３８】
赤外透過層２は、感光性樹脂の硬化物からなる樹脂バインダ中に着色顔料を含む層からなる。赤外透過層２の形成法は基本的には特に限定されないが、例えば、着色顔料と感光性樹脂の未硬化物とを含む着色感光性樹脂組成物を、透光性基板１の面上に塗布した後、所定のパターンで露光し、現像するという、いわゆるフォトリソグラフィ法により赤外透過層２を形成することができる。本実施形態においては、前記赤外透過層２はフォトリソグラフィ法によって形成したものである。このように感光性樹脂組成物を用いてフォトリソグラフィ法で形成した赤外透過層２は、スクリーン印刷法に比べて、膜厚を薄く、例えば３μｍ以下に容易に形成でき、赤外透過層２及び遮蔽層３が重なりあった２層積層部分でのこれらの両層の形成部と非形成部との境界に生じる赤外透過層２及び遮蔽層３との合計の膜厚による表面の段差を小さくできる点で好ましい。感光性樹脂組成物を用いてフォトリソグラフィ法で形成した赤外透過層２の膜厚は、具体的には、０．２〜３μｍとすることができる。しかも、赤外透過層２を遮蔽層３と同じ色、例えば黒色とする場合でも、不透明領域Ａ２としての遮光性は、赤外透過層２と遮蔽層３との両方の層によって実現すれば良いので、赤外透過層２の膜厚を０．３μｍ以上とすれば、全体として充分な遮光性を得ることができる。
【００３９】
本実施形態においては、赤外透過層２は、不透明領域Ａ２にパターン状に形成されるが、パターン形成する方法は、フォトリソグラフィ法に限定されものではなく、赤外透過層２及び遮蔽層３による段差の問題を解決できるならば、この他のパターン形成法、例えば、前記したスクリーン印刷法、或いはインクジェット印刷法などであっても良い。但し、前記した様に、スクリーン印刷法に比べて、段差の問題を効果的に解決できる程度に薄くでき、且つ高精度で容易に形成できる等の点で、フォトリソグラフィ法は好ましい形成法の一種である。
【００４０】
［着色顔料］
本実施形態にて赤外透過層２に用いる着色顔料とは、黒色を呈する黒色顔料以外の着色顔料、言い換えると黒色以外の着色顔料を意味する。前記黒色を呈する黒色顔料は、例えば、チタンブラック（低次酸化チタン、酸窒化チタンなど）、カーボンブラックなどである。一方、本実施形態では、赤外透過層２は、黒色以外の着色顔料を用いて黒色を表現する。黒色以外の着色顔料は、例えば、赤色顔料、黄色顔料、青色顔料、緑色顔料、紫色顔料などを用いることができる。このように、着色顔料としてチタンブラック（低次酸化チタン、酸窒化チタンなど）、カーボンブラックなどの無機系の黒色顔料を用いずに、着色顔料を用いることで、赤外透過層２に、可視光は遮蔽するが赤外光は透過する光学的特性を付与することができる。また、遮蔽層３の色と同色系統にするなど色合わせすることもできる。赤外透過層２の色は、不透明領域Ａ２のデサイン的な統一感の点では、遮蔽層３の色と同じ色にするのが好ましい。
【００４１】
前記赤色顔料は、例えば、ジケトピロロピロール系、アントラキノン系、ペリレン系などの赤色顔料であり、前記黄色顔料は、例えば、イソインドリン系、アントラキノン系などの黄色顔料であり、前記青色顔料は、例えば、銅フタロシアニン系、アントラキノン系などの青色顔料であり、前記緑色顔料は、例えば、フタロシアニン系、イソインドリン系などの緑色顔料、などである。さらに具体例を示せば、ピグメントレッド２５４（ＰＲ２５４）などのジケトピロロピロール系の赤色顔料、ピグメントレッド１７７（ＰＲ１７７）などのアントラキノン系の赤色顔料、ピグメントイエロー１３９（ＰＹ１３９）などのイソインドリン系の黄色顔料、ビグメントブルーＰＢ１５：６（ＰＢ１５：６）などの銅フタロシアニン系の青色顔料、などを用いることができる。また、前記紫色顔料では、ビグメントバイオレット２３（ＰＶ２３）などのキナクリドン系の紫色顔料を用いることができる。また、これら以外の色、つまり色相を呈する、着色顔料を用いることもできる。着色顔料の粒子の大きさは、平均粒径で１μｍ以下であり、好ましくは大よそ０．０３〜０．３μｍである。
【００４２】
本実施形態においては、赤外透過層２に含有させる着色顔料は、互いに異なる色であって黒色以外の着色顔料を少なくとも３種類以上含む。前記互いに異なる色の着色顔料の組み合わせは、例えば、赤色着色顔料と黄色着色顔料と青色着色顔料との３種類の組み合わせを挙げることができる。この赤色と黄色と青色の３色の組み合わせは、各色の着色顔料の含有量を調整することで、黒色顔料を含ませないで黒色を表現できる上、任意の幅広い有彩色も表現できる点で好ましい組み合わせの一つである。前記３色からなる３種類の着色顔料の組み合わせは、互いに異なる色であって黒色以外の着色顔料として２種類を用いた組み合わせでは表現できない色でも幅広く多様に表現できる点で好ましい。また、前記紫色顔料のように、例えば前記３色の組み合わせに対して、３色以外の色の着色顔料をさらに含有させると、より幅広い色を表現できる。例えば、紫色顔料をさらに含有させて４種類４色の組み合わせとしてもよい。
【００４３】
前記赤色着色顔料と黄色着色顔料と青色着色顔料との組み合わせにおいて、各着色顔料の好ましい具体例を示せば、赤色着色顔料としてアントラキノン系の赤色顔料或いはジケトピロロピロール系の赤色顔料、黄色着色顔料としてイソインドリン系の黄色顔料、青色着色顔料として銅フタロシアニン系の青色顔料が挙げられる。より具体的に示せば、例えば、アントラキノン系の赤色顔料として、ピグメントレッド１７７（ＰＲ１７７）、より好ましくは、ジケトピロロピロール系の赤色顔料として、ピグメントレッド２５４（ＰＲ２５４）を用い、イソインドリン系の黄色顔料としてピグメントイエロー１３９（ＰＹ１３９）を用い、銅フタロシアニン系の青色顔料としてビグメントブルーＰＢ１５：６（ＰＢ１５：６）を用いる３色組み合わせである。この３色組み合わせによって、カーボンブラックによる黒色に比べて、遜色のない黒色を表現することができる。
【００４４】
図２に示す透過率スペクトルのグラフは、前記のように黒色以外の３色の着色顔料の組み合わせによって黒色を表現した場合の、赤外透過層３の透過率スペクトルの一例を示す。このように、波長８００から少なくとも１３００ｎｍの赤外域、より具体的には近赤外域であって少なくとも波長１３００ｎｍ以下の近赤外域において、透過率５０％以上の赤外透過性能が得られ、波長８５０ｎｍ以上においては、好ましい透過率である透過率８０％以上に対して、透過率９０％以上の赤外透過性能が得られている。一方、波長３８０〜７８０ｎｍの可視光域においては、各波長にて透過率５％以下の充分な可視光に対する遮光性が得られることが判る。
【００４５】
本実施形態においては、着色顔料として、互いに異なる色であって黒色以外の着色顔料を３種類含むことで、黒色を表現したが、本実施形態においては、このように、含有させる３種類以上の黒色以外の着色顔料の顔料種や混合割合を調整することで、黒色顔料によって黒色を表現する場合と比べて、同じ黒色であっても、その反射色の色味を調整できる効果も得られる。これは、同じ黒色でも、例えば、青みを帯びた黒とか、赤みを帯びた黒などがあるからである。例えば、表示装置用前面保護板１０を適用する表示パネル３０が液晶表示パネルである場合、バックライト消灯時となる非表示状態での表示用領域Ａ１の黒色の色味と、黒色とした赤外透過層２と遮蔽層３とによる不透明領域Ａ２の色味を近づけて、表示パネル３０の非表示状態の色が反映される表示用領域Ａ１と、黒色とした赤外透過層２と遮蔽層３との色が反映される不透明領域Ａ２と、のそれぞれの色味が、全体として調和した外観となるように調整することが可能となる。こうした、赤外透過層２による色表現機能は、本赤外透過層２が、赤外透過窓４の部分のみならず、遮蔽層３の形成部分の全領域に形成される構成ならではの利点である。
【００４６】
赤外透過層２の着色顔料の含有量は、必要とされる可視光遮光性及び赤外光透過性にもよるが、着色顔料及び樹脂バインダを含む赤外透過層２の全固形分量に対する着色顔料の量の百分率で表した、顔料濃度で、例えば、通常１０〜６０％、好ましくは２０〜４０％程度である。言い換えると、赤外透過層２の全固形分１００質量部に対して、着色顔料は、通常、１０〜６０質量部、好ましくは２０〜４０質量部の範囲である。前記着色顔料の含有量とは、互いに異なる色の各着色顔料を全て合計した、着色顔料の総量である。着色顔料の含有量がこの範囲未満であると、密着性に寄与すると考えられる樹脂バインダの赤外透過層２中での割合が増加することから、とりわけ高温高湿下での赤外透過層２それ自体の密着性、ひいては遮蔽層３に対する、遮蔽層３と透光性基板１との高温高湿下の密着性の改善効果の点では有利であるが、可視光に対する遮光性が低下して、段差改善に効果のある膜厚５μｍ以下にすることが難しくなり、好ましくない。また、着色顔料がこの範囲を超過すると、可視光遮光性の点では有利であるが、とりわけ高温高湿下での赤外透過層２それ自体の密着性の改善効果が低下し、ひいては遮蔽層３に対する、遮蔽層３と透光性基板１との高温高湿下の密着性改善効果の点で好ましくない。赤外光透過性と共に、特に前記密着性の改善効果と可視光遮光性とを満たす為には、前記範囲とするのが好ましい。
【００４７】
以上の様に、赤外透過層２の着色顔料として、カーボンブラックやチタンブラックなどの黒色顔料を用いないことによって、可視光は遮蔽するが赤外光は透過する光学的特性を付与することができる上、その理由は定かではないが、赤外透過層２の膜厚を薄くできる点で有利な感光性樹脂の硬化物層として形成したときの、赤外透過層２それ自体の高温高湿下での密着性の低下を改善でき、ひいては赤外透過層２を介することで、遮蔽層３と透光性基板１との高温高湿下の密着性の低下を改善できることを、見出した。
【００４８】
ところで、単に赤外透過層２を用いて、遮蔽層３の色と調和した赤外透過窓４を、不透明領域Ａ２に設けるのであれば、図８の断面図で例示する、参考構成例としての表示装置用前面保護板５０のように、赤外透過窓４の部分を非形成部とした遮蔽層３を、透光性基板１に形成した後に、前記非形成部の部分に、赤外透過層２を形成すれば足りる。しかし、この構成では、遮蔽層３の高温高湿下での密着性の低下を改善することができない。更に、遮蔽層３と赤外透過材料２との境界が透光性基板１越しに露出し、遮蔽層３の前記非形成部に赤外透過材料２を充填した埋め跡が目立ってしまう。別の構成として、図９の断面図で例示する、別の参考構成例としての表示装置用前面保護板５０のように、可視光に対して遮光性を有する赤外透過層２の特性を利用して、赤外透過層２のみで不透明領域Ａ２を形成して、この領域内で必要な部分を赤外透過窓４とすることも考えられる。しかし、この構成では、充分な可視光に対する遮光性と、充分な赤外光に対する透明性とを、両立することが難しい。とりわけ、表現色が黒色の場合は、顕著である。
【００４９】
［感光性樹脂］
着色顔料を分散保持する樹脂バインダの樹脂成分となる前記感光性樹脂としては、例えば、アクリル系樹脂、エポキシ系樹脂、ポリイミド系樹脂、ポリ桂皮酸ビニル系樹脂、環化ゴム、等の反応性ビニル基などの光反応性基を有する感光性樹脂を１種以上用いることができる。前記アクリル系樹脂では、例えば、アルカリ可溶性樹脂、多官能アクリレート系モノマー、光重合開始剤、その他添加剤などからなる感光性樹脂を樹脂バインダの樹脂成分として用いることができる。
【００５０】
前記アルカリ可溶性樹脂には、ベンジルメタクリレート−メタクリル酸共重合体などのメタクリル酸エステル共重合体、ビスフェノールフルオレン構造を有するエポキシアクリレートなどのカルド樹脂、などを１種以上用いることができる。前記多官能アクリレート系モノマーには、例えば、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、などを１種以上用いることができる。なお、本実施形態において、（メタ）アクリレートとは、メタクリレート、又は、アクリレートのいずれかであることを意味する。
【００５１】
前記光重合開始剤には、アルキルフェノン系、オキシムエステル系、トリアジン系、チタネート系などを１種以上用いることができる。例えば、アルキルフェノン系では、（２−メチル−１［４−（メチルチオ）フェニル］−２−モリフォリノプロパン−１−オン（イルガキュア（登録商標）９０７、ＢＡＳＦジャパン株式会社製））、２−ベンジル−２−ジメチルアミノ−１−（４−モノフォリオフェニル）ブタノン−１（イルガキュア（登録商標）３６９、ＢＡＳＦジャパン株式会社製））、オキシムエステル系では、１，２−オクタンジオン，１−［４−（フェニルチオ）フェニル］−，２−（Ｏ−ベンゾイルオキシム）（イルガキュア（登録商標）ＯＸＥ０１、ＢＡＳＦジャパン株式会社製））などを用いることができる。
【００５２】
赤外透過層２の樹脂バインダとしては、この他、光増感剤、分散剤、界面活性剤、安定剤、レベリング剤などの、公知の各種添加剤を含むことができる。
【００５３】
［赤外透過層２の形成］
赤外透過層２の形成法は、本実施形態においては、特に限定されないことは既に述べたが、前記感光性樹脂の未硬化物を含む樹脂バインダ中に所定の３種以上の着色顔料を含有する着色感光性樹脂組成物によって、赤外透過層２を形成することができる。前記着色感光性樹脂組成物には、さらに、この樹脂組成物を透光性基板１の面上に塗布する際の塗布適性調整などの為に、溶剤を含むことができる。前記溶剤としては、例えば、プロピレングリコールモノメチルエーテル、プロピレングリコールモノメチルエーテルアセテート、エチルセロソルブ、３−メトキシブチルアセテート、等を１種以上用いることができる。
【００５４】
以上の様な、着色顔料と感光性樹脂の未硬化物を含む着色感光性樹脂組成物、或いは、前記着色顔料、前記感光性樹脂の未硬化物としては、従来、カラーフィルタ用途として調整された着色レジストを用いても良い。
【００５５】
着色感光性樹脂組成物を、透光性基板１の面上に塗布する方法は、例えば、スピンコート法、ロールコート法、ダイコート法、スプレーコート法、ビードコート法などの公知の塗工法によることができる。
【００５６】
着色感光性樹脂組成物を透光性基板１の面上に塗布した後は、フォトリソグラフィ技術を用いて露光、現像、ベークなどの所定の工程を経てパターニングすることにより、透光性基板１の面上の一部に、所定パターンの赤外透過層２を形成することができる。
【００５７】
〔遮蔽層３〕
図１に例示する実施形態における遮蔽層３は、タッチパネル２０及び表示パネル３０の側を向く透光性基板１の裏側、すなわち、透光性基板１の第２面Ｓ２の側となる不透明領域Ａ２の領域に形成されている。より具体的には、遮蔽層３は、不透明領域Ａ２中の赤外透過窓４の部分を除く全領域に形成されている。この遮蔽層３と前記赤外透過層２とによって、不透明領域Ａ２が、可視光に対して不透明な領域として形成される。遮蔽層３は、可視光には遮光性である前記赤外透過層２と共に、タッチパネル２０の中央の位置検知領域に対してその外周部に配置された配線や制御回路、或いは表示パネル３０の中央の表示領域に対してその外周部に配置された配線や制御回路などを隠し、これら配線や制御回路を目視不能にする。これにより、遮蔽層３は、タッチパネル２０や表示パネル３０を用いた表示装置において、外観を損なわないようにする機能を有する。
【００５８】
遮蔽層３は、少なくとも可視光を遮蔽すれば良く、不透明領域Ａ２としての可視光に対する必要な遮光性を、この遮蔽層３と、前記赤外透過層２の可視光部分での遮光性とによって実現すれば良い。したがって、遮蔽層３単独としての遮光性は、その分、小さくても良く、膜厚を薄くもできる。ただ、遮蔽層３は、黒色を表現する場合で言えば、カーボンブラックの他、チタンブラックのようにカーボンブラックに比べて膜厚が薄くても遮光性に優れた黒色顔料を含有させることができる。したがって、遮蔽層３は、膜厚が薄くても充分な可視光に対する遮光性を得ることが可能である。例えば、遮蔽層３は膜厚１．５μｍで光学濃度ＯＤ５．０（透過率で１０万分の１）の遮光性を容易に実現できる。不透明領域Ａ２としての可視光に対する遮蔽性つまり遮光性は、遮蔽層３と、赤外透過層２とによって得られたものでよい。通常、遮蔽層３及び赤外透過層２との両層合わせての遮光性は、要求仕様、表現色にもよるが、透過率で言えば大きくても３％以下（光学濃度ＯＤにて１．５以上）、より好ましくは透過率で１％以下（光学濃度ＯＤ２．０以上）、さらに好ましくは透過率で０．０１％以下（光学濃度ＯＤ４．０以上）となることが望ましい。
【００５９】
ただし、本実施形態のように、とくに黒色顔料を含有する遮蔽層３それ自体は、透光性基板１、特に化学強化ガラス製の透光性基板１との、高温高湿下での密着性の低下の問題を生じ得る。しかし、これらの間に常に前記赤外透過層２を介在させることで、こうした黒色顔料で黒色を表現した不透明領域Ａ２であっても、高温高湿下での密着性の低下の問題を改善しつつ、赤外透過窓４を前記赤外透過層２によって形成することが可能となる。また、遮蔽層３は、常に前記赤外透過層２を介して透光性基板１に積層されていることから、本実施形態にように、遮蔽層３のみで黒色を表現した場合に遮蔽層３の反射率が高くなり、特に太陽光下などでコントラストが損なわれる現象も、赤外透過層２の存在によって改善することができる。また、赤外透過層２は遮蔽層３に対して表側となる透光性基板１側に、遮蔽層３の形成部及び遮蔽層３の非形成部である赤外透過窓４の部分も含めた領域に積層されている。このため、不透明領域Ａ２の外観色を、赤外透過窓４の部分も含めて一葉な色にできるので、赤外透過窓４を違和感のないデザインで設けることができる。
【００６０】
遮蔽層３は、黒色顔料を含み得る着色顔料を感光性樹脂の硬化物からなる樹脂バインダ中に含む層からなる。遮蔽層３の形成法は基本的には特に限定されないが、例えば、着色顔料と感光性樹脂の未硬化物とを含む着色感光性樹脂組成物を、透光性基板１の面上に塗布した後、所定のパターンで露光し、現像するという、いわゆるフォトリソグラフィ法により形成することができる。本実施形態においては、前記遮蔽層３はフォトリソグラフィ法によって形成したものである。
【００６１】
このように感光性樹脂組成物を用いてフォトリソグラフィ法で形成した遮蔽層３は、スクリーン印刷法に比べて、膜厚を薄く、５μｍ以下、より好ましくは、例えば１．５μｍなどと３μｍ以下に容易にでき、遮蔽層３及び赤外透過層２が重なりあった積層部分でのこれらの両層の形成部と非形成部との境界に生じる遮蔽層３及び赤外透過層２との合計の膜厚による縁部の段差を小さくできる点で好ましい。感光性樹脂組成物を用いてフォトリソグラフィ法で形成した遮蔽層３の膜厚は、具体的には、０．２〜３μｍとすることができる。しかも、遮蔽層３を赤外透過層２と同じ色、例えば黒色とする場合でも、不透明領域Ａ２としての遮光性は、遮蔽層３と赤外透過層２との両方の層によって実現すれば良いので、遮蔽層３の膜厚は０．５μｍ以上で、全体として必要な遮光性を得ることができる。ただし、遮蔽層３を黒色とする場合は、黒色の遮光性を考慮すると、遮蔽層３の膜厚は０．５μｍ以上が好ましい。
【００６２】
本実施形態においては、遮蔽層３は、不透明領域Ａ２にパターン状に形成されるが、パターン形成する方法は、フォトリソグラフィ法に限定されものではなく、遮蔽層３と赤外透過層２との合計の膜厚による縁部の段差の問題を解決できるならば、この他のパターン形成法、例えば、前記したスクリーン印刷法、或いはインクジェット印刷法などであっても良い。但し、前記した様に、スクリーン印刷法に比べて、段差の問題を効果的に解決できる程度に薄くでき、且つ高精度で容易に形成できる等の点で、フォトリソグラフィ法は好ましい形成法の一種である。
【００６３】
［着色顔料］
本実施形態にて遮蔽層３に用いる着色顔料としては、黒色を呈する黒色顔料、及び、黒色以外の着色顔料のいずれも用いることができる。前記黒色を呈する黒色顔料は、例えば、チタンブラック（低次酸化チタン、酸窒化チタンなど）、カーボンブラックなどを用いることができる。チタンブラックは、カーボンブラックに比べて同濃度、同膜厚で、可視光に対するより高い遮光性が得られ、その分、同じ遮光性であれば膜厚を薄く、前記段差を小さくできる点で、好ましい黒色顔料の一種である。黒色以外の着色顔料は、例えば、赤色顔料、黄色顔料、青色顔料、緑色顔料、紫色顔料などを用いることができる。着色顔料の含有量は、必要とされる可視光に対する遮光性、及び色にもよるが、着色顔料及び樹脂バインダを含む遮蔽層３の全固形分量に対する着色顔料の量の百分率で表した、顔料濃度で、例えば１０〜７０％程度である。充分な遮光性を確保する点では、なるべく顔料濃度は高い方が望ましい。
【００６４】
［感光性樹脂］
着色顔料を分散保持する樹脂バインダの樹脂成分となる前記感光性樹脂としては、前記赤外透過層２で列記した樹脂を用いることができる。このため、更なる説明を省略する。
【００６５】
〔可視情報６〕
図１に例示する本実施形態における表示装置用前面保護板１０では、赤外透過層２及び遮蔽層３が形成される不透明領域Ａ２に、可視情報６として製品のロゴマークが形成されている。本実施形態においては、不透明領域Ａ２に対して、製品ロゴマーク以外に、可視情報６として、操作説明用の文字や記号、模様などを設けることができる。可視情報６は、例えば、赤外透過層２の非形成部及び遮蔽層３の非成形部を互いに重なり合うように配置した非形成部のパターンとして形成するか、或いは赤外透過層２と透光性基板１との間に、赤外透過層２或いは遮蔽層３とは色の異なるパターンの層として形成することができる。赤外透過層２或いは遮蔽層３とは別の色の層として形成する場合は、前記赤外透過層２或いは遮蔽層３と同様の材料及び方法を用いて可視情報６を形成することができる。或いは、前記赤外透過層２の非形成部及び遮蔽層３の非形成部を互いに重なり合うように配置した部分の前記遮蔽層３の裏側に、或いは、前記非形成部を含む前記赤外透過層２と遮蔽層３との間に、蒸着やスパッタ等の気相成長法で形成したアルミニウムなどの金属薄膜を用いることもできる。
【００６６】
本実施形態においては、不透明領域Ａ２に形成される可視情報６は、不透明領域Ａ２の領域内であるからといって、必ずしも赤外透過層２及び遮蔽層３による遮光性と同程度に不透明である必要はない。例えば、暗所でも判るように裏面から照明される操作説明用の文字や記号などの可視情報６であってもよい。また、本実施形態においては、タッチパネル２０や表示パネル３０の外周部に配置された配線などを隠蔽することに支障を来たさなければ、例えば、赤外透過層２の非形成部及び遮蔽層３の非形成部を互いに重なり合うように配置した非形成部のパターンとして形成した可視情報６のように、言い換えると、赤外透過層２や遮蔽層３によって外輪郭を画成されることによって認識可能となる可視情報６のように、可視情報６が周囲の部分より透過率が高い、典型的には透明な部分であるなど、遮光性が赤外透過層２よりも小さい領域が一部に存在しても良い。
【００６７】
〔変形形態〕
本実施形態の表示装置用前面保護板１０は、上記した形態以外のその他の形態をとり得る。以下、その一部を説明する。
【００６８】
［タッチパネル機能との一体化］
図１で示した前記実施形態では、表示装置用前面保護板１０は、透光性基板１と赤外透過層２と遮蔽層３とからなり、赤外透過窓４が設けられ、さらに可視情報６も有する形態例であった。しかし、本実施形態においては、更にその他の構成要素を設けても良い。その一例が、タッチパネル機能との一体化である。例えば、透光性基板１にタッチパネル用の透明電極を設けて、透光性基板１をタッチパネル用基板として兼用しても良い。タッチパネル機能との一体化が、タッチパネルとして必要な機能の一部を一体化する形態である場合には、部品点数の低減及び薄型化の効果が得られる。より好ましくは、タッチパネルとしての必要な機能の全部を一体化する形態である。
【００６９】
タッチパネルとして必要な機能の全部を一体化した表示装置用前面保護板１０は、タッチパネルと言うこともできる。タッチパネルとして必要な機能の一部を一体化した表示装置用前面保護板１０は、タッチパネル用部材と言うこともできる。例えば、タッチパネル機能の一部を一体化する場合、そのタッチパネル機能として位置検知用の透明電極が必要な方式では、少なくとも前記透明電極を表示装置用前面保護板１０に一体化する。タッチパネルの位置検知方式について従来から各種の方式が知られており、透明電極が２層になる位置検知方式では、このうちの少なくとも１層を、より好ましくは２層を表示装置用前面保護板１０に一体化するのが望ましい。以下、図３の実施形態を参照して、タッチパネル機能の一体化の一例を説明する。
【００７０】
図３の断面図で示す表示装置用前面保護板１０では、赤外透過層２及び遮蔽層３を形成した側の第２面Ｓ２側に、さらに、タッチパネル用の透明電極８及び配線９を形成した構成例である。ここでのタッチパネル用の透明電極８は、投影型静電容量方式の電極である。より具体的には、遮蔽層３は、赤外透過層２に隣接する一方の面Ｓ３と、当該一方の面Ｓ３とは反対側に位置する他方の面Ｓ４を有し、遮蔽層３の他方の面Ｓ４側に、さらに、タッチパネルの位置検知用の透明電極８が形成されていると共に、表示用領域Ａ１から赤外透過層２及び遮蔽層３がある不透明領域Ａ２の部分に延び、前記遮蔽層３と重なる領域に配置された不透明な配線９と不透明領域Ａ２で電気的に接続されている。図３の断面図では、図面の煩雑化を防ぐために、赤外透過窓４の図示を省略してある。
【００７１】
図４（ａ）及び図４（ｂ）の平面図に、前記透明電極８のパターン形状を模式的に示す。図に示す例では、第１の方向（図中、上下方向）に延びる複数の第１の透明電極８ａと、前記第１の方向と直交する第２の方向（図中、左右方向）に延びる複数の第２の透明電極８ｂとが、互いに絶縁されて、透光性基板１の同一の側、すなわち第２面Ｓ２の側に形成されている。この図４（ａ）には、不透明領域Ａ２内に設けられた赤外透過窓４及び可視情報６が図示されている。この種の投影型静電容量方式の透明電極８のパターンでは各種パターンが周知であるので、ここでは簡単に説明する。図４では、図４（ｂ）の部分平面図で示すように、一つの第１の透明電極８ａは、菱形形状の複数の大面積部８ａＬと、隣り合う前記大面積部８ａＬ同士を接続する接続部８ａＣと、位置検知領域の外周部まで延びて配線９に電気的に接続する為の不図示の取出し部と、から構成される。同様に、一つの第２の透明電極８ｂも、菱形形状の複数の大面積部と、隣り合う前記大面積部同士を接続する接続部と、取出し部と、から構成される。ただし、図４（ａ）では、各透明電極８ａ，８ｂに関して、その大面積部のみを描いてあり、接続部及び取出し部の図示を省略してある。また、透明電極８ａの大面積部と、透明電極８ｂの大面積部とは、同一平面上に形成されている。それぞれの接続部は、透明電極８ａでは、図４（ｂ）のように、大面積部８ａＬと接続部８ａＣとが同一平面上に連続層として形成される。一方、透明電極８ｂでは、その大面積部と接続部とを同一平面上で連続層として形成すると、前記透明電極８ａとの絶縁を確保することができなくなる。このため、前記透明電極８ａと交差する部分（具体的には、透明電極８ａの接続部８ａＣの所）には、オーバーコート層７ｂを絶縁層として設けて、この絶縁層を跨いで、透明電極８ｂの接続部が形成されることで、前記絶縁を確保している。
【００７２】
そして、図３に示す表示装置用前面保護板１０では、透光性基板１の第２面Ｓ２に、前記赤外透過層２及び遮蔽層３の部分も含めて、表示用領域Ａ１及び不透明領域Ａ２に亘ってオーバーコート層７ａを形成することで、２層合わせた合計で５μｍ以下の膜厚で形成された赤外透過層２及び遮蔽層３による縁部の段差をさらに軽減してある。さらに、このオーバーコート層７ａの面に、第１の透明電極８ａの大面積部と接続部と取出し部とが形成され、第２の透明電極８ｂは大面積部と取出し部のみが形成されている。さらに、これら透明電極８ａ，８ｂが形成された後、透明電極８ａと第２の電極８ｂとが交差する部分に、絶縁層としてオーバーコート層７ｂを部分的に形成した上で、第２の透明電極８ｂの接続部がこのオーバーコート層７ｂ上を通って隣り合う透明電極８ｂの大面積部に掛け渡されている。そして、第１の透明電極８ａ及び第２の透明電極８ｂが、中央の位置検知領域から前記遮蔽層３に重なる領域まで延び、それ自体が不透明で目視できる配線９に接続されている。配線９は、図面では、第１の透明電極８ａに対してのみ描いてある。さらに、配線９を形成後の、透光性基板１の配線９が形成された側の第２面Ｓ２のほぼ全面に、オーバーコート層７ｃが形成され、第１の透明電極８ａ及び第２の透明電極８ｂの表面を含む、表示装置用前面保護板１０としての表面を、傷付きなどから保護している。ただし、このオーバーコート層７ｃは、配線９がフレキシブルプリント配線基板（ＦＰＣ）を介して制御回路に接続する部分には形成されず、配線９が露出されている。
【００７３】
前記オーバーコート層７ａ、オーバーコート層７ｂ、及び、オーバーコート層７ｃには、透明な樹脂、例えば、エポキシ樹脂、アクリル樹脂、ポリイミド樹脂などを用いることができ、具体例を挙げれば、熱硬化性のエポキシ樹脂などを用いることができる。また、前記赤外透過層２や遮蔽層３で述べた感光性樹脂などを用いることもできる。感光性樹脂の場合は、部分形成するときにフォトリソグラフィ法を利用することができる。各オーバーコート層７のうち、少なくとも、第１の透明電極８ａと第２の透明電極８ｂとの交差部分にて絶縁層の役割を担うオーバーコート層７ｂは、透明で且つ電気絶縁性を有している。これらのオーバーコート層は、前記赤外透過層２や遮蔽層３と同様の塗工法で形成され得る。
【００７４】
前記第１の透明電極８ａ及び第２の透明電極８ｂには、ＩＴＯ（Ｉｎｄｉｕｍ ＴｉｎＯｘｉｄｅ；インジウム錫酸化物）、ＩＺＯ（Ｉｎｄｉｕｍ Ｚｉｎｃ Ｏｘｉｄｅ；インジウム亜鉛化物）、ＡＺＯ（Ａｌｕｍｉｎｕｍ Ｚｉｎｃ Ｏｘｉｄｅ；アルミニウム亜鉛酸化物）等の透明導電体薄膜をパターン形成したものを用いることができる。
【００７５】
前記配線９には、例えば、銀、金、銅、クロム、プラチナ、アルミニウム、パラジウム、モリブデンなどの金属（を含むその合金）などを用いることができる。例えば、配線９には、銀、パラジウム及び銅からなる合金（ＡＰＣとも言う）の金属層としてスパッタ法により製膜後、当該金属層をフォトリソグラフィ法によりパターン形成したものを用いることができる。
【００７６】
このように、本実施形態では、タッチパネルとしての中央の位置検知領域の周辺に設けられる、それ自体が不透明で目視され得る配線９は、遮蔽層３と平面視において重なる領域内に設けられることで、表示装置に適用されたときに外観を損なうことがない。しかも、赤外透過層２を透光性基材１と遮蔽層３との間に設けることによって、遮蔽層３に関連した反射率が高いあるいは高温高湿下で密着性が低下するといった不具合が改善されている。さらに、遮蔽層３及び赤外透過層２の２層合計による段差の問題も改善されており、赤外透過層２に積層された遮蔽層３の部分まで透明電極を延ばして形成しても、断線する可能性を軽減できる。さらに、タッチパネル機能も備えており、部品点数の削減、軽量化にも効果的である。
【００７７】
〔Ｃ〕表示装置：
本実施形態による表示装置は、上記した表示装置用前面保護板１０と、表示パネルとを備える。また、本実施形態による表示装置は、前記表示装置用前面保護板１０がタッチパネル機能を備えていない場合は、タッチパネルを備えてもよい。そして、本実施形態による表示装置は、上記した表示装置用前面保護板１０と、タッチパネルと、表示パネルとを備えるとともに、前記タッチパネルは、位置検知用の透明電極の周囲に配置された不透明な配線が前記表示装置用前面保護板１０の遮蔽層３に重なり前記表示装置用前面保護板１０側から目視不能となるように配置される構成であってもよい。あるいは、本実施形態による表示装置は、タッチパネル用の透明電極及び不透明な配線も有する表示装置用前面保護板１０と、表示パネルとを備える構成あってもよい。
【００７８】
図５は、本発明による表示装置の実施形態例であり、同図に示す表示装置１００は、図面上方の観察者Ｖ側の表側から順に、表示装置用前面保護板１０、タッチパネル２０、表示パネル３０を備えている。本実施形態においては、表示装置用前面保護板１０は、前述した表示装置用前面保護板１０である。より具体的に、この表示装置用前面保護板１０はタッチパネル機能を一体化していない形態のものである。また、タッチパネル２０には、模式的に、配線９と透明電極８とを図示してある。表示装置用前面保護板１０に設けられた赤外透過窓４の裏側（図面で下方）には、人感センサなど赤外利用部品が表示装置１００の構成要素として設けられるが、同図では、この赤外利用部品の図示を省略してある。
【００７９】
前記タッチパネル２０は、典型的には、マルチタッチ（多点同時入力）が可能な投影型静電容量方式のタッチパネルであるが、この他、表面型静電容量方式、抵抗膜方式、電磁誘導方式、光学方式、など、透明電極を必要としない位置検知方式も含めた公知の各種位置検知方式のタッチパネルのいずれでも良い。タッチパネル２０は、中央の位置検知領域の外周部に、配線９、制御回路、これらを電気的に接続するコネクタなどの何らかの不透明な構成要素を有する。これらの不透明な構成要素が、表示装置用前面保護板１０の不透明領域Ａ２の遮蔽層３に平面視において重なって隠れる位置となるように、タッチパネル２０と表示装置用前面保護板１０とが配置されている。このため、これら配線９などの不透明な構成要素が、表示装置１００の外観を損なわない様にすることができる。
【００８０】
前記表示パネル３０としては、液晶表示パネル、電界発光（ＥＬ）パネルが代表的であるが、この他、電子ペーパーパネル、ブラウン管によるディスプレイ装置でもよく、公知の各種表示パネルでよい。
【００８１】
以上のような構成の、表示装置１００とすることで、赤外透過窓４を表示装置用前面保護板１０に組み込んだ製品デザインが可能となる上、タッチパネル２０の位置検知領域の外周部、或いは表示パネル３０の表示用領域の外周部、において存在する、表示内容それ自体には不要な、配線、コネクタ、制御回路などの各種構成要素を隠して、これらにより外観が損なわれることを防ぐことができる。
【００８２】
［表示装置としての変形形態］
本実施形態による表示装置１００では、表示装置用前面保護板１０はタッチパネル機能が何ら一体化されてない形態であった。しかし、本実施形態においては、表示装置１００が備える表示装置用前面保護板１０は、タッチパネル機能の一部または全部が一体化されたものとしても良い。もちろん、この場合、タッチパネルの機能の全部が一体化された表示装置用前面保護板１０を用いる場合は、独立したタッチパネル２０を備える必要はなく、前記表示装置用前面保護板１０と、表示パネル３０とを少なくとも備えた構成の表示装置となる。この形態では、表示パネル３０の外周部の配線、コネクタ、制御回路などを隠すことができる。
【００８３】
また、組み込もうとするタッチパネルが透明電極を備えた方式のものであり、しかも前記透明電極が互いに絶縁された第１の透明電極８ａと第２の透明電極８ｂとの２層からなり、この２層が互いに別々の基板上に形成される構造である場合は、このうちのいずれか一方の基板を表示装置用前面保護板１０の透光性基板１と兼用することで、一方の透明電極を表示装置用前面保護板１０に一体化し、他方の透明電極と基板とを、表示装置用前面保護板１０及び表示パネル３０とは別体のタッチパネル構成部材として組み込んで、表示装置１００を構成することも可能である。どのような構成で表示装置用前面保護板１０とタッチパネル機能とを一体化するかは、使用し得る製造設備、組立工程などの諸条件に適した構成を選べば良い。
【００８４】
〔Ｄ〕用途：
本実施形態による表示装置用前面保護板１０、及び表示装置１００の用途は、特に限定されない。例えば、スマートフォンなどの携帯電話、タブレットＰＣなどの携帯情報端末、パーソナルコンピュータ、カーナビゲーション、デジタルカメラ、電子手帳、ゲーム機器、自動券売機、ＡＴＭ端末、ＰＯＳ端末、などである。
【００８５】
〔本実施形態の作用効果〕
以上のように、本実施形態によれば、透光性基板１と、当該透光性基板１の少なくとも一方の面の側において不透明領域Ａ２に形成された遮蔽層３であって、少なくとも可視光を遮蔽し、赤外透過窓４となる部分は非形成部として形成された遮蔽層３と、前記一方の面の側において不透明領域Ａ２内であって遮蔽層３の前記非形成部を含む部分に積層された赤外透過層２であって、可視光を遮蔽し赤外光を透過する赤外透過層２と、を有し、赤外透過層２は、赤外透過窓４となる前記非形成部を含んだ遮蔽層３と透光性基板１との間の全領域に形成されている。このような形態によれば、透光性基板１の他方の面側から表示装置用前面保護板１０を観察した場合に、赤外透過窓４が赤外透過層２に覆われた状態で観察されるため、赤外透過窓４を目立ち難くさせることができる。また、表示装置１００のケースに赤外透過窓を設ける必要がないため、表示装置１００のケースをより幅広いデザインに対応させることが可能となる。更に、表示装置１００のケースに赤外透過窓を設ける必要がないため、外観デザインを損なうこともない。
【００８６】
また、赤外透過層２は、含有する顔料を遮蔽層３と異なるものにすることができ、この結果、遮蔽層３と比較してその色味を調整しやすくなる。すなわち、透光性基板１の他方の面側が表側となる場合には、赤外透過層２が遮蔽層３よりも観察者側に配置され、これにより、使用者によって知覚される不透明領域Ａ２での反射色の色味を調整しやすくなる。同様に、赤外透過層２は、含有する顔料を遮蔽層３と異なるものにすることができ、この結果、不透明領域Ａ２に求められる遮光性を遮蔽層３のみによって実現する場合に比べて、反射率を低く抑えることができる。結果として、外光の反射を抑制し高いコントラストで表示装置１００からの映像を表示することができる。
【００８７】
とりわけ、遮蔽層３は、黒色顔料を含み得る着色顔料を感光性樹脂の硬化物からなる樹脂バインダ中に含み、赤外透過層２は、着色顔料を感光性樹脂の硬化物からなる樹脂バインダ中に含み、赤外透過層２の前記着色顔料は、互いに異なる色であって黒色以外の着色顔料を少なくとも３種類以上含んでいる場合には、赤外透過層２に使用する３種類以上の着色顔料同士の割合を調整することで、不透明領域Ａ２における反射色の色味および不透明領域Ａ２での反射率をより高い自由度で調整することができる。
【００８８】
さらに、本実施形態によれば、赤外透過層２と遮蔽層３との合計の膜厚を薄く形成することができ、これらの膜厚により生じる縁部の段差を小さくすることができる。従って、遮蔽層３は、赤外透過層２に隣接する一方の面Ｓ３と、当該一方の面Ｓ３とは反対側に位置する他方の面Ｓ４を有し、遮蔽層３の前記他方の面Ｓ４側に、さらに、タッチパネルの位置検知用の透明電極８が形成され、透明電極８が、表示用領域Ａ１から不透明領域Ａ２まで延び、遮蔽層３と重なる領域に配置された不透明な配線９と不透明領域Ａ２で電気的に接続されている場合、タッチパネル２０の位置検知用の透明電極８がスパッタ法などで形成される時に段差部分で断線されるおそれを軽減することができる。
【００８９】
さらに、本実施形態によれば、透光性基板１と遮蔽層３との間に赤外透過層２が介在している。これにより、透光性基板１と遮蔽層３との間での密着性が低下してしまうといった不具合を解消することができる。とりわけ、上述した実施の形態では、赤外透過層２が、透光性基板１と遮蔽層３とに隣接して、透光性基板１と遮蔽層３との間に配置されている。このような形態によれば、赤外透過層２と透光性基板１との高温高湿下での密着性を十分に確保しつつ、赤外透過層２と遮蔽層３との高温高湿下での密着性も十分に確保することができる。従って、赤外透過層２を介して遮蔽層３と透光性基板１との高温高湿下での密着性の低下をより効果的に改善することができる。
【００９０】
また、本実施の形態の表示装置１００によれば、表示装置用前面保護板１０と表示パネル３０との間にタッチパネル２０を更に備え、タッチパネル２０は、表示用領域Ａ１と重なる領域から不透明領域Ａ２と重なる領域まで延びた透明電極８と、遮蔽層３と重なる領域に配置された不透明な配線９と、を有し、透明電極８は、不透明領域Ａ２と重なる領域で不透明な配線９と電気的に接続されている。このような形態によれば、表示パネル３０からの表示光を表側から観察する観察者にとって、不透明な配線９が表示装置用前面保護板１０の不透明領域Ａ２の遮蔽層３に重なって隠れて視える。このため、不透明な配線９によって表示装置１００の外観を損ねることを防止することができる。
【実施例】
【００９１】
以下、本発明を実施例及び比較例により更に詳述する。【００９２】
〔実施例１〕
透光性基板として、厚み０．５ｍｍの化学強化ガラスを用い、当該化学強化ガラスの裏側として使用する片面の外周部に赤外透過層を形成した。赤外透過層は、顔料と、紫外線照射で硬化する感光性樹脂からなる樹脂バインダと、を含む組成物を、フォトリソグラフィ法でパターンニングして、膜厚２．５μｍに形成した。樹脂バインダ中には、チタンブラックやカーボンブラックなどの黒色顔料を含有させず、以下に示す、それぞれが赤色、黄色、青色を呈する有機系の着色顔料を３種類含有させた。つまり３色を混合して黒色を呈する様にした。樹脂バインダは、アクリル系樹脂を用いたカラーフィルタ着色層用レジスト（着色レジスト）とした。
・赤色顔料：ジケトピロロピロール系のピグメントレッド２５４（ＰＲ２５４）
・黄色顔料：イソインドリン系のピグメントイエロー１３９（ＰＹ１３９）
・青色顔料：銅フタロシアニン系のビグメントブルーＰＢ１５：６（ＰＢ１５：６）
但し、赤色顔料：黄色顔料：青色顔料＝３５：３５：３０（質量比）である。【００９３】
次に、この赤外透過層の面に、赤外透過窓となる部分を非形成部とした遮蔽層を形成した。この遮蔽層は、黒色の顔料と、紫外線照射で硬化する感光性樹脂からなる樹脂バインダと、を含む組成物を、フォトリソグラフィ法でパターンニングして、膜厚０．９μｍに形成した。黒色の着色顔料としてカーボンブラックを含有させることで黒色を呈する様にした。樹脂バインダは、アクリル系樹脂を用いたカラーフィルタのブラックストライプ用の黒色レジストとした。前記赤外透過層と遮蔽層との合計膜厚は３．４μｍとなった。【００９４】
〔実施例２〕
実施例１において、赤外透過層の膜厚を２．１μｍに減らして、合計膜厚を３．０μｍとした他は、実施例１と同様にして表示装置用前面保護板を作製した。【００９５】
〔実施例３〕
実施例１において、赤外透過層の膜厚を１．１μｍに減らして、その分、遮蔽層の膜厚を１．２μｍに増やして合計膜厚を２．３μｍとした他は、実施例１と同様にして表示装置用前面保護板を作製した。【００９６】
〔実施例４〕
実施例１において、赤外透過層の膜厚を０．５μｍに減らして、その分、遮蔽層の膜厚を１．４μｍに増やして合計膜厚を１．９μｍとした他は、実施例１と同様にして表示装置用前面保護板を作製した。【００９７】
〔実施例５〕
実施例１において、赤外透過層の膜厚を０．３μｍに減らして、その分、遮蔽層の膜厚を１．５μｍに増やして合計膜厚を１．８μｍとした他は、実施例１と同様にして表示装置用前面保護板を作製した。【００９８】
〔比較例１〕
実施例１において、赤外透過層を形成する材料を、樹脂バインダは同じで、黒色顔料も含めて着色顔料を含まない透明レジストに変更して、赤外透過層に代えて膜厚１．５μｍの透明樹脂層を形成した。その他は、実施例１と同様にして、遮蔽層との合計膜厚３．０μｍとなる表示装置用前面保護板を作製した。【００９９】
〔比較例２〕
実施例１において、赤外透過層の形成を省略して、遮蔽層のみ膜厚１．５μｍで形成した他は、実施例１と同様にして、表示装置用前面保護板を作成した。【０１００】
〔比較例３〕
実施例１において、赤外透過層の形成を省略して、遮蔽層を形成する材料を、黒色顔料としてカーボンブラックを含有するスクリーン印刷用黒色インキに変更し、これをスクリーン印刷して、膜厚６．０μｍの遮蔽層のみを形成した他は、実施例１と同様にして、表示装置用前面保護板を作製した。【０１０１】
〔性能評価方法〕
以下の光学特性と、高温高湿下での密着性を評価した。【０１０２】
［光学特性］
光学特性は、以下の項目を顕微分光測光装置を用いて測定した。【０１０３】
１）光学濃度（ＯＤ；Ｏｐｔｉｃａｌ Ｄｅｎｓｉｔｙ）：
赤外透過層のみ、或いは赤外透過層と遮蔽層とが積層された全体の可視光域に於ける透過光に対する遮光性を、光学濃度で評価した。この光学濃度は、赤外透過層単体の部分（赤外透過窓の部分）或いは赤外透過層と遮蔽層とが積層された部分に垂直入射した入射光の強度Ｉｉｎと、垂直に透過した透過光の強度Ｉｏｕｔとの比率、「ｌｏｇ１０（Ｉｉｎ／Ｉｏｕｔ）」である。ＯＤ値が４．０のとき、可視光線透過率は１／１００００となる。赤外透過層と遮蔽層とが積層された部分では、ＯＤ値が４．０以上であれば、黒色の不透明領域として充分満足できる。赤外透過層に代えて透明樹脂層を設けた構成では、この透明樹脂層のみの部分、或いは透明樹脂層と遮蔽層との積層部分を測定対象とした。本実施例では、顕微分光測光装置を用いることによって、透光性基板側から垂直に入射する入射光と、表示装置用前面保護板を透過した透過光とについて、分光特性を測定し、分光特性として得られたＪＩＳ−Ｚ８７０１に準ずるＸＹＺ表色系における明るさＹを用いて光学濃度を算出した。【０１０４】
２）反射率：
裏側に形成した遮蔽層がある部分に透光性基板側から入射した入射光が、遮蔽層と透光性基板との界面、或いは間に赤外透過層がある場合は赤外透過層と透光性基板との界面、或いは間に透明樹脂層がある場合は遮蔽層と透明樹脂層との界面、で反射して、透光性基板側に戻る反射光の前記入射光に対する強度の割合で、反射光の強度Ｉｒｅｆと入射光の強度Ｉｉｎとの比率、（Ｉｒｅｆ／Ｉｉｎ）×１００で算出した百分率で評価した。前記２）に示す反射色度と同様に、透光性基板と空気との界面で生じる反射光の影響は無視できる。赤外透過層が存在し、その光学濃度が小さい場合は、赤外透過層と遮蔽層との界面からの反射光も一部含まれて測定される。赤外透過層に代えて透明樹脂層を形成した構成では、透明樹脂層と遮蔽層との界面での反射光を測定した。本実施例では、顕微分光測光装置を用いることによって、透光性基板側から垂直に入射する入射光と、表示装置用前面保護板からの反射光とについて、分光特性を測定し、分光特性として得られたＪＩＳ−Ｚ８７０１に準ずるＸＹＺ表色系における明るさＹを用いて反射率を算出した。【０１０５】
［高温高湿下の密着性］
透光性基板に対する遮蔽層の高温高湿下の密着性は、試験片を、温度６０℃、相対湿度９５％ＲＨの環境下に最大４００ｈｒ放置し、試験開始時の初期と、２０ｈｒ、１００ｈｒ、４００ｈｒ毎の、遮蔽層の密着性を以下により測定して評価した。遮蔽層と透光性基板との間に赤外透過層などの介在層が介在する場合は、この介在層と遮蔽層との積層物としての密着性が評価される。【０１０６】
前記密着性は、具体的には、ＪＩＳ Ｋ５４００（１９９０年）の碁盤目テープ法に準拠して評価した。すなわち、試験片の遮蔽層の上から、カッターナイフで１ｍｍ幅の切り傷を付けて、１ｍｍの大きさの正方形からなる碁盤目を１００個作り、この碁盤目の上から、セロハン粘着テープ（ニチバン株式会社製）を貼り付けてから１〜２分後に、セロハン粘着テープの一端を持って、試験片の面に直角に保ち瞬間的に引き剥がしたときの、碁盤目の面の状態から密着性を評価点数で評価した。【０１０７】
評価点数は最も良いのを１０点、最も悪いのを０点とし、以下の基準により判定する。
１０点：切り傷１本毎が細く両端が滑らかで、碁盤目の剥がれが１個もない状態。
８点：切り傷の交点にわずかに剥がれがあるが、碁盤目の剥がれは１個もなく、欠損部の面積が碁盤目全体の５％以内の状態。
６点：切り傷の両側と交点とに剥がれがあり欠損部の面積が碁盤目全体の５〜１５％の状態。
４点：切り傷による剥がれの幅が広く、欠損部の面積が碁盤目全体の１５〜３５％の状態。
２点：切り傷による剥がれの幅が４点よりも広く、欠損部の面積が碁盤目全体の３５〜６５％の状態。
０点：欠損部の面積が碁盤目全体の６５％以上の状態。【０１０８】
表１中に於いて、密着性の評価欄は、４００ｈｒ経過後でも、密着性（評価点数）の低下が認められないものは「◎」で表記し、４００ｈｒ経過後に始めて密着性（評価点数）の低下が認められたものは「○」で表記し、１００ｈｒ経過後に始めて密着性（評価点数）の低下が認められたものは「△」で表記し、２０ｈｒ経過後でも既に密着性（評価点数）の低下が認められたものは「×」で表記した。比較例２が２０ｈｒ経過後で性能低下することから、少なくとも２０ｈｒ経過後で初期性能を維持できるものは、改善効果ありとする。【０１０９】
〔性能評価結果〕
実施例及び比較例の透光性基板上での層構成の主要な内容と、性能評価結果は表１のとおりである。【０１１０】
【表１】
0005392641.tif 000002
【０１１１】
実施例１は、基本性能として、赤外透過層及び遮蔽層の合計膜厚を段差の問題を改善でき得る５μｍ以下の３．４μｍにしても、遮光性は光学濃度ＯＤで５．０を確保でき、反射率３．０％以下を実現できた。以上、基本性能としての赤外透過層及び遮蔽層による不透明領域としての光学性能は満足できるものが得られた。透光性基板上に遮蔽層が存在せず赤外透過層のみで赤外透過窓となる部分については、着色顔料としてカーボンブラックやチタンブラックなどの黒色顔料を使用せず、赤、黄、青の着色顔料の３種類の組み合わせで黒色を表現している。そして、この部分は、膜厚２．５μｍで、光学濃度ＯＤが２．０となる遮光性を確保できた。この赤外透過層の赤外光に対する透過性は、波長８００ｎｍで５０％以上、波長８５０〜１３００ｎｍで９０％以上を確保できた。遮蔽層の高温高湿下での密着性は、試験時間４００ｈｒ後でも評価点数は１０点で、初期状態に対して低下は認められず充分な性能（表１中評価「◎」）が得られた。【０１１２】
実施例２〜実施例５は、前記実施例１に対して、光学濃度ＯＤ５．０を維持できる様に、この順に、赤外透過層の膜厚を減らし、その分、遮蔽層の膜厚を増やした実施例である。いずれの実施例も、光学濃度ＯＤ５．０を維持しつつ、膜厚３．０μｍ以下を実現できた。ただ、これらの中で赤外透過層の膜厚が０．３μｍと最小の実施例５については、反射率が３．６５％まで上昇した。このことは、反射率を低く抑えるためには、赤外透過層の光学濃度を大きくするのが良いことを示している。例えば反射率３．５％以下などと、より反射率の少ない製品を望むならば、赤外透過層の膜厚を０．５μｍ以上、さらに反射率を小さいものとするには、赤外透過層の膜厚を例えば１．５μｍ以上、にすれば良いことが確認できる。【０１１３】
一方、遮蔽層の透光性基板に対する高温高湿下での密着性の点は、赤外透過層の膜厚が０．３μｍと薄い場合も含めて、実施例２〜実施例５の全てで、試験時間４００ｈｒ後でも評価点数は１０点で、初期状態に対して低下は認められず充分な性能（表１中評価「◎」）が得られた。【０１１４】
前記反射率において、赤外透過層に代えて、着色顔料の含有を省略した透明樹脂層を介在させた比較例１では、密着性こそ各実施例と同様に４００ｈｒまで性能低下は認められず（表１中、評価「◎」）、密着性低下に対する改善効果が確認され、また、光学濃度ＯＤも５．０を維持できた。ただし、反射率が４．８３％と４％を超過してしまった。このことは、反射率を低く抑えるためには、単に遮蔽層と透光性基板との間に樹脂層を介在させれば良いのではなく、有色の赤外透過層を介在させるのが、効果的であることを示している。【０１１５】
遮蔽層のみの比較例２は黒色顔料で黒を表現したカラーフィルタのブラックマトリクス用のレジストによるものだが、膜厚が１．５μｍと薄くても光学濃度ＯＤ値５．０と高い遮光性が得られる反面、反射率が４．７８％と大きく外観を損ねる可能性がある上、密着性が試験時間２０ｈｒで既に低下が始まっており、密着性も満足できる性能ではない（表１中、評価「×」）。【０１１６】
比較例３は、黒色顔料で黒を表現したスクリーン印刷用インキによる遮蔽層のみのものだが、光学濃度ＯＤと反射率の光学性能及び密着性は問題がないが、そのための膜厚が６．０μｍと厚く、これによって発生する段差の問題がある。もちろん、このインキによる遮蔽層は、赤外光に対して遮光性であり、非形成部として赤外透過窓を設けただけでは、その部分が透光性基板の透明感となってしまい、製品デザインとして、好ましくない。
【要約】
表示装置用前面保護板１０は、中央の表示用領域Ａ１と、表示用領域の外周部に設けられ可視光を遮蔽する不透明領域Ａ２とを有する。不透明領域内の一部に赤外光を透過する赤外透過窓４が設けられている。表示装置用前面保護板１０は、透光性基板１と、透光性基板の一方の面Ｓ２側の不透明領域に形成され、赤外透過窓となる部分は非形成部として形成された遮蔽層３と、前記一方の面の側の不透明領域内であって遮蔽層の非形成部を含む部分に積層された赤外透過層２と、を有する。遮蔽層は、少なくとも可視光を遮蔽し、赤外透過層は、可視光を遮蔽し赤外光を透過する。赤外透過層は、赤外透過窓となる非形成部を含んだ遮蔽層と透光性基板との間の全領域に形成されている。【図１】
0005392641.tif 000003
【図２】
0005392641.tif 000004
【図３】
0005392641.tif 000005
【図４】
0005392641.tif 000006
【図５】
0005392641.tif 000007
【図６】
0005392641.tif 000008
【図７】
0005392641.tif 000009
【図８】
0005392641.tif 000010
【図９】
0005392641.tif 000011